【事件の表示】
　平成２年特許願第３０２４５２号「有機性廃水の処理方法」拒絶査定に対する審判事件［平成３年１２月１０日出願公開、特開平３−２７８８９７］について、次のとおり審決する。
【結　論】
　本件審判の請求は、成り立たない。
【理　由】
〔一〕　本願は、平成２年（１９９0）３月７日に出願された特願平２−５３８１６号に基づいて国内優先権を主張して、平成２年１１月９日に出願された。
　平成１１年６月２５日付けの手続補正書によって補正された本願明細書の特許請求の範囲の記載は、下記のとおりである。
　「（１）処理槽内にヒモ状接触材を設置し、これに凝集性及び／又は付着性を有する酵母を付着せしめて廃水処理を行うことを特徴とする有機性廃水の処理方法。
　（２）酵母がハンゼヌラ属及び／又はクルイベロマイセス属に属する酵母であることを特徴とする請求項１に記載の方法。」
　以下では、上記構成の発明を、それぞれ本願発明１及び本願発明２という。
　
〔二〕　本願明細書の詳細な説明の項の記載（ただし、以下の摘記は、上記公開公報による。）
（イ）（３頁、１０〜１７行）
　「　本発明は、各種の有機性物質を広範に分解することができると同時に、各種の担体ないし接触材に良く付着、固定され、しかもその際有機性物質の分解能は阻害されることがない酵母を新たに分離するのに成功し、この新知見を基礎としてなされたものであるが、従来、廃水処理能にすぐれた酵母を担体に固定化するのに成功した例は、知られておらず新規である。」
（ロ）（４頁、１７行〜５頁、１７行）
　「　そこで先ず酵母のスクリーニングを行い、その結果、各種の有機成分を分解することができ、各種の物理的及び化学的条件に耐えることができ、そのうえ接触材に対する付着性にすぐれ、且つ菌体密度を高めるために凝集性にもすぐれた酵母を分離するのにはじめて成功した。
　本発明の目的に適した酵母は、ハンゼヌラ属酵母、例えばハンゼヌラ・アノマラ、及びクルイベロマイセス属酵母、例えばクルイベロマイセス・マルキシアヌス、Ｋ．ラクチス等である。
　本発明において使用される凝集性酵母ハンゼヌラ・アノマラＪ２２４は、清酒製造工場の排水溝より分離され、デンプン等の多糖類、グリセロール等の糖アルコール、乳酸等の有機酸及びアミノ酸等広く有機物を資化分解する能力を有し、多糖類等を多量に含むビール工場廃水、デンプン等の多糖類を多量に含む洗米廃水、グリセロールや有機酸を多量に含む酒類の蒸留廃液、、乳酸を多量に含む漬物廃水等の食品製造廃水はもちろん、グリセロール含量の多い油脂を原料とする工業廃水処理等にも使用できる。」
（ハ）（７頁、１１〜１３行）
　「　前記した要件を満たす微生物として、上記ハンゼヌラ・アノマラＪ２２４（微工研菌寄第７６７１号）のほか、Ｊ-６７３株を分離した。」
（ニ）（７頁、最終行〜８頁、５行）
　「　本発明においては、上記したクルイベロマイセス・マルキシアヌスＪ-６７３のほか、クルイベロマイセスに属する各菌が適宜使用され、その例としては例えば次のものが挙げられる：
kluyveromyces　marxianus　IFO　10005、K.　lactis　IFO　1903；同IFO　1267（ATCC　８５８５）。」
（ホ）（１２頁、１〜５行）
「以上の菌学的性質からして、Ｊ-６７３株はクルイベロマイセス・マルキシアヌスに属せしめるのが妥当であって、これをKluyveromyces　marxianus　var.　marxianus　Ｊ-６７３と命名し、微工研にFERMP-10385として寄託した。」
（ヘ）（１３頁、２行〜１４頁、３行）
　「　これに対して、本発明において使用する酵母は、それ自体凝集性ないし付着性にすぐれているため、酵母単独でも上記のような高い酵母密度を維持することができるが、本発明においては、更に菌体濃度を高めるシステムとして処理装置の面からも検討を加え、槽内酵母の流出をなるべく少なくして槽内の酵母菌体濃度を高めるため、槽内に担体ないし接触材をもうけてこれに酵母を付着させ、槽内酵母の流出を防ぐと共に菌体濃度を高めた、高効率の酵母槽で有機廃水を処理することに成功したのである。
　そして更に本発明の卓越した特徴のひとつは、本発明において使用する酵母が、担体ないし接触材に対する付着性及び／又は凝集性にすぐれている点であり、しかもその際酵母の活性が阻害されない点である。また更に特記すべき特徴としては、これらの酵母は、各種の材質、各種の形状、各種の大きさを有する接触材を広範且つ自由に固定化される点が挙げられる。廃水処理能力に富んだ酵母が各種の担体に強固に固定化された事実は、従来より報告されたことがなく、本発明が最初である。」
（ト）（１５頁、下から２行〜１６頁、１行）
　「　可撓性接触材：繊維状、布状、シート状、紐状、帯状、リボン状、薄片状等を呈する可撓性を有する材料からなる接触材がすべて包含される。」
（チ）（２０頁、１１〜１９行）
　「　実際の使用に当っては、例えば紐状接触材の一端部を処理槽の底面、壁面及び／又は上面等に固定しておき、紐状体が槽内から流出することなくそれでいて槽内に密着固定することなく廃水中で揺動ないし廃水中を浮遊せしめるものである。したがって、長い紐状接触材をたるみを保持しつつその両端を処理槽の両壁面に固定してもよいし、必要あればその中間部の適宜位置を処理槽の底面や壁面等に固定してもよい。」
（リ）（２１頁、１１行〜２２頁、１行）
　「　その具体例としては、微生物固定化能の高い担体にガラス繊維、合成樹脂製の紐ないし中空パイプを固定し、これを槽に固定してもよいし、塩化ビニルその他合成樹脂製のプレートないし円筒等に紐、ロッド、繊維等をとりつけ、これを槽に固定してもよい。また、ビーズ等の担体を紐にとおしておき、この紐の一部又は両端を槽に固定してもよいし、このようにビーズを１個ずつ紐に固定する代りに数個のビーズをメッシュの袋に入れておき、これを１袋又はそれ以上紐に吊下するようにしてもよい。」
（ヌ）（２２頁、９行ないし２３頁、１行）
　「すなわち、酵母の生育に適したpH及び温度を保持し、必要あればエアーポンプ等による通気攪拌ないし攪拌機による機械的な攪拌を行い、連続処理ないし回分処理を行えばよく、その間に接触材に酵母が密に付着凝集して菌体濃度が上昇し、有効且つ迅速的処理が行われる。その際、接触材が槽から流出することがないので酵母菌体からの流亡がなく、高い菌体濃度が保持され、一方、例えば非固定化ないし一部固定的接触材は廃水中を揺動するために攪拌の支障とはならないだけでなく通気性が改善されるため更に菌体濃度が上昇して、廃水処理が更に促進されることになるのである。」
（ル）　実施例の概略
　実施例１〜同４には、ヒモ状接触材を用い、豆腐製造廃水又は洗米廃水をHansenula　anomala　Ｊ-２２４（FERM　Ｐ−７６７１）で処理して、その結果（ＴＯＣ、ＣＯＤ、ＣＯＤsup、ＢＯＤ、ＢＯＤsupの値等）が確認されている。
　実施例５には、紐状接触材を用い、洗米廃水をKluyveromyces　marxianus　var.　marxianus　Ｊ-６７３（FERM　P−１０３８５）で処理して、その結果が確認されている。
　
〔三〕　引例の記載
（１）特開昭６１−１５３１９７号公報（以下では、引例１という。）
（イ）特許請求の範囲
　「（１）　食品製造廃水等を凝集性酵母により処理して、廃水中に含有される有機物を除去することを特徴とする廃水の処理方法。
　（２）　凝集性酵母がハンゼヌラ・アノマラＪ２２４（微工研菌寄７６７１号）である特許請求の範囲第一項記載の廃水の処理方法。」
（ロ）（１頁、左下欄、下から６行〜末行）
　「　発明者は、酵母による食品製造廃水の新しい処理方式を開発し、酵母処理単独あるいは酵母と活性汚泥処理を組合わせることにより高濃度、かつ、負荷変動の激しい食品製造廃水を効率的に処理できることを明らかにした。〔吉澤：農化、５５、７０５〜７１１（１９８１）〕」
（ハ）（１頁、右下欄８〜１２行）
　「　そこで、所望の酵母を常に安定した密度に保つ方法につき、鋭意検討した結果、廃水処理用酵母として凝集性酵母を選択して用いることにより、高い酵母密度を保持できることを見いだし、本発明を完成した。」
（ニ）（２頁、左下欄７〜１０行）
　「　凝集性酵母は、菌体そのままで処理するほか、場合によっては活性炭、ガラスビーズ等の担体の表面に付着、凝集させてより効果的に廃水を処理することもできる。」
（ホ）（２頁、左下欄１１〜１５行）
　「　処理槽の材質は、特に限定しないが耐酸性のものが望ましい。処理槽はエアーポンプ等により通気かくはんを行い、場合によってはかくはん機によるかくはんを行えば、通気効果をあげることができる。」
（ヘ）実施例
　実施例１及び実施例２には、洗米廃水を凝集性酵母ハンゼヌラ・アノマラＪ２２４で処理したことが、また、実施例４には、凝集性酵母を懸濁した水に粉末炭を加えて、９８％の酵母を粉末炭に付着させた後、洗米廃水を処理したことが記載されている。
　
（２）特開昭６０−１４９９６号公報（以下では、引例２という。）
（イ）特許請求の範囲
　「（１）　食品製造等廃水を固定化酵母により処理して、廃水中に含まれる有機物を除去することを特徴とする食品製造等廃水の処理方法。
　（２）　固定化酵母が、１種又は２種以上の固定化酵母の混合物である特許請求の範囲第１項記載の食品製造等廃水の処理方法。
　（３）　固定化酵母が、１種又は２種以上の酵母からなる固定化酵母である特許請求の範囲第１項記載の食品製造等廃水の処理方法。
　（４）　固定化に供される酵母がデンプン、タンパク質、脂肪、糖類、有機酸、アミノ酸、エチルアルコール、グリセロール、リグニン、タンニン及びペクチンから選ばれる１種又は２種以上の資化分解能を有する酵母である特許請求の範囲第１項から第３項までのいずれかに記載の食品製造等廃水の処理方法。」
（ロ）（１頁、右下欄、下から３行〜２頁、左上欄９行）
　「　また、廃水によっては必ずしも、単一の酵母のみで廃水中の全ての有機物を資化分解するだけでは不十分で、数種の酵母を混合して使用した方が効果的なものがある。その場合、数種の酵母が常に安定した菌相を示すとは限らず、むしろ、強力な生存力を有する単一酵母菌株が他の酵母を抑えてしまう場合が多い。
　そこで、所望の酵母を常に安定した密度に保つ方法につき鋭意、検討した結果、廃水処理用酵母を固定化酵母として用いることにより、従来の酵母処理法の問題点を全て解決できることを見いだし、本発明を完成した。」
（ハ）（２頁、右上欄１〜６行）
　「　したがって、対象とする廃水の組成によって、例えば第１表に示した各種有機物の資化能を有する酵母を固定化し、廃水によっては２種以上の酵母をそれぞれ固定化したものの混合物又は２種以上の酵母を混合後、固定化したもので処理することにより効果的に廃水を処理することができる。」
（ニ）第１表の概略
　第１表には、ハンゼヌラ・アノマラ　Ｙ−１、同ＡＭ−６−６、ハンゼヌラ・スペシーズ　Ｋ−３２３、クルイベロミセス・スペシーズ　ＫＬ−５、同ＫＬ−６等が挙げられ、その有機物資化性が半定量的に示されている。
（ホ）（２頁、右上欄、下から４〜２行）
　「　酵母の固定化は既知の固定化法、例えばゲル包括法、担体結合法又は架橋重合法のいずれを用いてもよい。」
　
（３）特公昭５３−２７９０７号公報（以下では、引例３という。）
（イ）特許請求の範囲
　「１　廃液中に含有する糊化澱粉をロープ状濾床に増殖させた麹菌ならびに通気槽に繁殖させた酵母とにより糖化、発酵を営ませ、又老化した菌体を廃水から除去することによりＢＯＤ（生物化学的酸素要求量）を低下させることを特徴とする麺類の廃水処理方法。
　　２　断面角形その他の筒体内に多類のロープを縦方向に比較的密に張設してロープ状濾床を形成せる処理槽の上部に処理すべき廃液を各部均一に散布する適宜構造の散水機を設けて該ロープ状濾床の表面に麹菌を繁殖させる１基以上の散水処理装置と酵母を増殖させる通気槽、分離槽等の処理装置とを連接したことを特徴とする麺類の廃水処理装置。」
（ロ）（３欄９〜１９行）
　「　なお、稼働初期に於いて、該浮上分離槽４内へ適量の麹菌を投入して第１処理槽１１内におけるロープ状濾床に麹菌の繁殖をつかさどるもので、以後は麹菌の投入を要しない。
　第１処理槽１１は、断面角形の筒状体１１ａ内の上下に多数並設した１１ｂに合成樹脂製のロープ竿１１ｂを比較的密に多数垂直状に張設したロープ状濾床が形成されている。したがって、その上部に設けた散水機１０から、濾床上に廃液を各部均一に散布すると廃液は、ロープに伝ってゆっくりと流下しロープ表面に麹菌が繁殖する。」
（ハ）（３欄１９〜２６行）
　「従って以後同様に連続流下するとロープ表面の麹菌は次第に増殖し、遂には剥げ落ちるが分離槽４の水面にこれが浮上及び沈殿するので浮上したものは、かき取り装置１２により、第１汚泥槽１３へ送り、沈澱したものは、第１汚泥槽１３の汚泥とともに、汚泥ポンプＰ２により、脱水機（遠心分離器）１４へ送られる。」
　
（４）実公昭５４−８６０７号公報（以下では、引例４という。）
（イ）実用新案登録請求の範囲
　「　枠体に張設した紐状体の任意の個処に多数の放射状の針状体の集合による微生物繁殖用針状集合部を略等間隔に設け、該紐状体の羅列又は構成よりなる汚水処理における改良付着材。」
（ロ）（２欄２１〜３０行）
　「該針状集合部３を任意の個処に多数設けた紐状体２を第３図の如く羅列するか又は第４図の如く格子状に夫々枠体４に張設して汚水処理の付着材として使用する。該付着材は、汚水中において、汚水との接触面積の大である前記針状集合部３を中心として、汚水浄化に貢献する微生物である汚泥が繁殖し、而も従来の竹枝又は紐状体の如く、汚泥が剥離し易いものとは違って遙かに付着度が高く、従って汚水浄化度は従来法よりも大である。」
　
（５）特公昭５８−５７２３９号公報（以下では、引例５という。）
（イ）特許請求の範囲
　「１　好気的条件で有機物除去と硝化がなされ上端から処理液の一部が排出される接触酸化塔と、この接触酸化塔の一側に接して併設され下端に連通路を残して仕切板で流入側と流出側に区分され流入側に前記接触酸化塔の上端から硝化液が溢流導入されるとともに原汚水が供給され嫌気的条件で脱窒がなされる脱窒素塔と、この脱窒素塔の上端近くに設けられ流出側から溢流した脱窒液をうける循環桝と、この循環桝より下方に導出され上端に空気吸込エゼクタが連通され途中に循環ポンプが挿入され前記接触酸化塔の下底に連通され脱窒素塔から脱窒液を接触酸化塔へ送液する循環管路と、前記接触酸化塔並に脱窒素塔中の垂直方向に多数条張設され多数のループ状繊維を有する紐状接触材とより成ることを特徴とする汚水の処理装置。」
（ロ）（３欄９〜１５行）
　「　又前記接触酸化塔１と脱窒素塔５には第３図に示すように織物状芯１８よりループ状の繊維１９を枝状に張り出した紐状接触材２０が多数本垂直に張設されている。塔１，５内の上下にはその巾方向を等分するように適当間隔で固定桟２１，２１が架設され、この上下の固定桟２１，２１に紐状接触材２０の両端が取付けられている。」
（ハ）（４欄１５〜２３行）
　「　又接触酸化塔１と脱窒素塔５に夫々垂直に張設された多数の紐状接触材２０は、全周に突起したループ状繊維１９に多量の微生物が汚泥と共に附着して柔軟なロープ状の汚泥柱となって林立し、この汚泥柱の間隙を被処理水が下部から上部へ、上部から下部へと適度な速度で循環し被処理水中の好気性嫌気性の両基質は夫々の塔１，５内の好気性、嫌気性汚泥柱と緻密に接触反応して除去される。」
　
（６）実公平１−３３１９９号公報（以下では、引例６という。）
（イ）実用新案登録請求の範囲
　「　筒状に編まれた紐部と、この紐部の全長に亘って張り出す無数のループ部と、前記筒状紐部内に位置して紐部に対して接着剤によって固着される芯部とから成ることを特徴とする水処理用接触材。」
（ロ）（１欄８〜９行）
　「　本考案は曝気槽内や河川中に張設されて使用される水処理用接触材に関するものである。」
（ハ）（１欄２６行〜２欄５行）
　「又後者、即ち特開昭５１−１２８８３５号公報に記載された帯状の紐体を接触材として用いる場合は、素材に微細な繊維を使用しているため生物膜の付着効率が高く、更に紐体は柔軟性を有しているため曝気槽内の循環水流によって振動し、閉塞することもない」
　
（７）実公平１−３５２７９号公報（以下では、引例７という。）
（イ）実用新案登録請求の範囲
　「（１）　組紐を構成する素線の一部を多数のループ形状に形成した組み紐コードからなる汚水処理用接触材において、上記ループを組紐コードの長手方向及び周囲方向に異なる大きさの形状に多数形成したことを特徴とする汚水処理のための組紐コードから成る接触材。
　（２）　ループを形成するための素線に、熱収縮率の異なった２種以上の繊維を用い、各繊維を熱固定させることにより、ループを異なる大きさの形状に形成してなる実用新案登録請求の範囲第（１）項記載の接触材。」
（ロ）（３欄３１〜３４行）
　「　このような熱収縮率の異なる繊維としては、ポリ塩化ビニル系とポリ塩化ビニリデン系もしくはポリプロピレン系とポリ塩化ビニリデン系の繊維の組合わせを例示しうる。」
（ハ）（３欄３５行〜４欄５行）
　「　本考案は、叙上のとおり、組紐コードの長手方向及び周囲方向方向に、大きさの異なる形状のループが多数入り混じって形成されているので、下記に示すように、従来の均一の大きさのループを多数形成させた接触材に比べて、汚水処理に際しての活性微生物及び汚泥の付着が一そう良好であり、したがって、汚水の浄化効果も一段と向上させ得る。」
　
（８）特開昭５１−１２８８３５号公報（以下では、引例８という。）
（イ）特許請求の範囲の第１項
　「（１）　輪状又は針状体が表面に密生した帯状紐体を、芯体の周辺部に前記紐体の裏面が前記芯体と密接し且つ順次螺旋状に密接して並ぶ如くに巻き付けたことを特徴とする汚水処理に於ける接触材の製造方法。」
（ロ）（２頁、左上欄末行〜同、右上欄６行）
　「　従来、種々の汚水処理用接触材が使用されているが、何れも汚水の速度に対して十分固定することが困難であり、而も汚水処理に寄与する微生物の付着増殖に対して適した構造のものがなく、単に枠体に接触材として紐を張る方法等に於いては流速により揺動が激しく微生物が離脱し且つ紐自体が切断する等の恐れがあった。」
　ただし、引例８は、引例６に引用されているので、念のために引用した。
　
〔四〕　判断
（１）　引例１には、「食品製造等廃水」を処理槽内で凝集性酵母によって処理する方法が記載されていると認められる｛処理槽内での処理については、上記〔三〕（１）（ホ）を、また、凝集性酵母を使用する点については、上記〔三〕（１）（ニ）を参照｝。
　また、上記凝集性酵母は、担体に付着させて使用できるとされている｛上記〔三〕（１）（ニ）及び（ヘ）を参照。｝。
　そうすると、上記〔三〕（１）に摘記した引例１の記載によれば、引例１には、下記の発明が記載されていると認められる。
　「　処理槽内で凝集性酵母を担体に付着させて廃水処理することを特徴とする食品製造等廃水の処理方法。」
　以下では、上記構成の方法の発明を引例１の発明という。
　
（２）　相違点の認定
　本願発明１と引例１の発明とを比較すると、下記の２点でだけ相違していることが認められる。
（イ）　本願発明は、「有機性廃水」の処理方法であるのに対して、引例１の発明は、食品製造等廃水の処理方法である。
　以下では、上記相違点を相違点１という。
（ロ）　本願発明１では、「処理槽内にヒモ状接触材を設置し、これに」凝集性酵母を付着させるのに対して、引例１の発明では、単に担体に凝集性酵母を付着させるとされているにすぎない。
　以下では、上記相違点を相違点２という。
　
（３）　相違点についての検討
（イ）　相違点１
　本願明細書の記載｛上記〔二〕（ロ）参照｝によれば、上記「食品製造等廃水」は、有機性廃水のひとつであると認められるから、相違点１は、実質的相違点であるとは認められない。
（ロ）　相違点２
（ｉ）　引例１には、引例１の発明の、酵母｛例えば、ハンゼヌラ・アノマラＪ２２４（微工研菌寄７６７１号）｝の担体として、ガラスビーズ及び粉末炭素が例示されているが、いずれの引例にも、担体として「ヒモ状接触材」を使用することを直接示唆する記載はない。
　しかしながら、本願明細書｛上記〔二〕（リ）参照｝によれば、「ヒモ状接触材」は、ガラス繊維、合成樹脂製の紐等であり、「この紐の一部又は両端を槽に固定し」たものであると認められるが、この種の紐状接触材は、汚水処理の分野で周知慣用のものであると認められる（上記引例３から引例７までの各接触材を参照。ただし、引例３から引例７までには、酵母を紐状接触材に付着させたとする記載は認められない。）。
　そして、引例１には、「凝集性酵母」は、「活性炭、ガラスビーズ等の担体の表面に付着、凝集させてより効果的に廃水を処理することもできる」とされ｛上記〔三〕（１）（ニ）参照｝、付着性を有していることが認められ、しかも、引例１では、担体が処理槽内でゆれうごく場合があることを認識した上で、「処理槽はエアーポンプ等により通気かくはんを行い、場合によってはかくはん機によるかくはんを行えば、通気効果をあげることができる」｛上記〔三〕（１）（ホ）参照｝としていたと認められるるのであるから、引例１にいう担体として、すなわち、具体的には「活性炭、ガラスビーズ等の担体」に代えて、周知慣用であるヒモ状接触材を使用する程度のことは、当業者ならば、容易にできることであると認められる。
　また、引例６には、「素材に微細な繊維を使用しているため生物膜の付着効率が高く、更に紐体は柔軟性を有しているため曝気槽内の循環水流によって振動し、閉塞することもない」とされ｛上記〔三〕（６）（ハ）参照｝、微細な繊維を素材とした紐体が接触材の形状としてむしろ好ましいものであるとされていたものと認められるから、例えばガラスビーズ担体とヒモ状接触材とでは形状が異なるとはいえ、形状が異なるというだけで、前者を後者でに置き換えることが困難であるとすることはできない。
（ｉｉ）　また、審判請求書に添付された甲第１号証の「実験成績証明書」と題する書面の内容は、凝集性の酵母はヒモ状接触材に強固に付着し、非凝集性酵母及び汚泥は、少なくとも強固には付着しないことを確認したものであると認められる。そして、本件審判請求人は、非凝集性酵母が「ヒモ状接触材」に付着しないから、「凝集性及び／又は付着性の酵母」が「ヒモ状接触材」に付着するのは予想外のことであると主張しているが、上記甲第１号証によって確認された事実によって、非凝集性酵母ではなく、凝集性酵母が「ヒモ状接触材」に付着することが予想外とするとすることはできない。
（ｉｉｉ）　そして、本件審判請求人は、本願発明１は、「多数の酵母をヒモ状接触材に付着させ、通気攪拌して迅速、短時間に大量の廃水を効率的に処理するという顕著な効果」を奏すると主張しているが、これは紐状接触材（引例３から引例８までの各引例を参照。）を使用する場合に通常予想できる程度のものにすぎないと認められる。
（ｉｖ）　以上によれば、本願発明１は、引例１の発明に基づいて、当業者が容易に発明することができた発明であると認められるから、特許法第２９条第２項の規定によって、特許を受けることができない。
（ｖ）　本願発明２は、本願発明１において、酵母がハンゼヌラ属及び／又はクルイベロマイセス属に属する酵母である場合に限るものであるが、ハンゼヌラ属の酵母は、引例１に記載されている酵母｛ハンゼヌラ・アノマラＪ２２４（微工研菌寄７６７１号）｝であって、本願発明１についてした上記の判断をそのまま適用できるものと認められる。なお、クルイベロマイセス属に属する酵母は、ハンゼヌラ・アノマラ属酵母と同様に、固定化できる酵母の一例として、引例２に記載されている。
　よって、結論とおり審決する。